(57)【要約】  本発明は、石けん、少なくとも1種の香料油、少なくとも1種のポリマー、場合により水、並びに場合により石けん、香料油、ポリマー及び水以外の更なる既知の化粧品成分を含む固形石けんであって、少なくとも1種のポリマーが水溶性ポリマーであり、ポリマーが、20℃で(4)から(9)の間の範囲の1つ又は複数のpH値で水100g中少なくともポリマー0.01gの水溶性を有し、少なくとも1種のポリマーが、ポリマーの反復単位の20重量%超が、少なくとも1つの酸基を有する少なくとも1種のエチレン性不飽和の重合性モノマーに由来する反復単位である、ポリマー、及びN-ビニルピロリドンに由来する反復単位を含み、ポリマー中のこれらの反復単位の比率が少なくとも50重量%である、ポリマーからなる群から選択される、固形石けんに関する。【選択図】なし【特許請求の範囲】
【請求項１】
石けん、
少なくとも1種の香料油、
少なくとも1種のポリマー、
場合により水、並びに
場合により、石けん、香料油、ポリマー及び水以外の更なる既知の化粧品成分
を含む固形石けんであって、
少なくとも1種のポリマーが水溶性ポリマーであり、ポリマーが、20℃で4から9の間の範囲の1つ又は複数のpH値で水100g中少なくともポリマー0.01gの水溶性を有し、
少なくとも1種のポリマーが、
-  ポリマーの反復単位の20重量%超、好ましくは少なくとも30重量%、より好ましくは少なくとも35重量%が、少なくとも1つの酸基を有する少なくとも1種のエチレン性不飽和の重合性モノマーに由来する反復単位であり、これらの反復単位が遊離酸又は塩として存在し、塩として存在する場合、その塩は好ましくはアルカリ金属塩、特にナトリウム塩である、ポリマー、及び
-  N-ビニルピロリドンに由来する反復単位を含み、ポリマー中のこれらの反復単位の比率が少なくとも50重量%、好ましくは少なくとも90重量%、より好ましくは100重量%である、ポリマー
からなる群から選択される、
固形石けん。
【請求項２】
石けんが
-  脂肪酸又は脂肪酸混合物のナトリウム塩であって、脂肪酸が6から24個、好ましくは10から20個、より好ましくは12から18個の炭素原子を有する直鎖状脂肪族モノカルボン酸であり、前記ナトリウム塩の0から10重量%、好ましくは0から5重量%がカリウム塩である、脂肪酸又は脂肪酸混合物のナトリウム塩、
-  合成洗剤又は合成洗剤の混合物、及び
-  1種以上の合成洗剤と脂肪酸又は脂肪酸混合物のナトリウム塩との混合物であって、脂肪酸が6から24個、好ましくは10から20個、より好ましくは12から18個の炭素原子を有する直鎖状脂肪族モノカルボン酸であり、前記ナトリウム塩の0から10重量%、好ましくは0から5重量%がカリウム塩である、混合物
からなる群から選択される、請求項1に記載の固形石けん。
【請求項３】
石けんが合成洗剤又は合成洗剤の混合物であり、合成洗剤が、アシルイセチオネートのナトリウム塩、アシルグルタメートのナトリウム塩、アルキルスルホアセテートのナトリウム塩、脂肪アルコールスルフェートのナトリウム塩及び脂肪アルコールスルホサクシネートのナトリウム塩からなる群から選択される、請求項2に記載の固形石けん。
【請求項４】
少なくとも1種の香料油が、植物性精油、動物性精油及び合成香油からなる群から選択される香油である、請求項1から3のいずれか一項に記載の固形石けん。
【請求項５】
少なくとも1種のポリマーが、
-  ポリマーの反復単位の20重量%超、好ましくは少なくとも30重量%、より好ましくは少なくとも35重量%が、アクリル酸及び/又はメタクリル酸に由来する反復単位であり、これらの反復単位が遊離酸又は塩として存在し、塩として存在する場合、その塩は好ましくはアルカリ金属塩、特にナトリウム塩である、ポリマー、
-  N-ビニルピロリドンに由来する反復単位を含み、ポリマー中のこれらの反復単位の比率が少なくとも50重量%、好ましくは少なくとも90重量%であり、ポリマーが場合によりメタクリルアミド及び/又は酢酸ビニル及び/又はビニルイミダゾール及び/又は四級化ビニルイミダゾールに由来する反復単位を更に含み、四級化がN-メチル化である、ポリマー
からなる群から選択される、請求項1から4のいずれか一項に記載の固形石けん。
【請求項６】
少なくとも1種のポリマーが、
-  21から60重量%のメタクリル酸、40〜60重量%のアクリル酸エチル、0〜20重量%のアクリル酸、0〜0.25重量%の二、三又は四官能性モノマー(すなわち、2、3又は4個の重合可能なエチレン二重結合、好ましくはペンタエリスリトールトリアリルエーテルを含むモノマー)、0から20重量%のメタクリルアミド、及び0〜10重量%のC12〜C22アルキル(EO)0-100-メタクリレートに由来する反復単位を含む、ポリマー、
-  40〜60重量%のアクリル酸エチル、40〜60重量%のメタクリル酸及び0から1重量%のアリルペンタエリスリトールに由来する反復単位を含む、ポリマー、
-  45〜50重量%のアクリル酸エチル、37〜43重量%のメタクリル酸、5〜15重量%のメタクリルアミド、0.1から5重量%のC18アルキル(EO)25-メタクリレート及び0.01から1重量%のアリルペンタエリスリトールに由来する反復単位を含む、ポリマー、並びに
-  50〜60重量%のアクリル酸エチル、30〜40重量%のメタクリル酸、5〜15重量%のアクリル酸及び0.01から1%のアリルペンタエリスリトールに由来する反復単位を含む、ポリマー
からなる群から選択される、請求項1から4のいずれか一項に記載の固形石けん。
【請求項７】
少なくとも1種のポリマーが、
-  アクリル酸エチル(44〜54%)、メタクリル酸(35〜45%)、メタクリルアミド(9〜11%)、C18アルキル(EO)25-メタクリレート(0.25〜0.75%)及びペンタエリスリチルトリアリルエーテル(0〜0.1%)に由来する反復単位を含む、ポリマー、
-  アクリル酸エチル(44〜54%)、メタクリル酸(35〜45%)、アクリル酸(5〜15%)及びペンタエリスリチルトリアリルエーテル(0.5〜0.25%)に由来する反復単位を含む、ポリマー、
-  アクリル酸エチル(40〜60%)及びメタクリル酸(40〜60%)に由来する反復単位を含む、ポリマー、
-  N-ビニルピロリドンホモポリマー、
-  メタクリル酸(45〜55%)、アクリル酸エチル(40〜45%)、C18アルキル(EO)25-メタクリレート(5〜10%)、C22アルキル(EO)20-40-メタクリレート(5〜10%)に由来する反復単位を含む、ポリマー
からなる群から選択される(定量的詳細は重量%単位)、請求項1から4のいずれか一項に記載の固形石けん。
【請求項８】
60〜99.9重量%の石けん、
0.01から10重量%の少なくとも1種の香料油、
0.1〜10重量%の少なくとも1種のポリマー、
0から40重量%の水、及び
石けん、香料油、ポリマー及び水以外の0から10重量%の更なる既知の化粧品成分
を含む、請求項1から7のいずれか一項に記載の固形石けん。
【請求項９】
65から90重量%の石けん、
0.1から5重量%の少なくとも1種の香料油、
0.2から5重量%の少なくとも1種のポリマー、
10から25重量%の水、及び
石けん、香料油、ポリマー及び水以外の0から5重量%の更なる既知の化粧品成分
を含む、請求項1から7のいずれか一項に記載の固形石けん。
【請求項１０】
70から89重量%の石けん、
0.3から2重量%の少なくとも1種の香料油、
0.5から2重量%の少なくとも1種のポリマー、
10から25重量%の水、及び
石けん、香料油、ポリマー及び水以外の0から5重量%の更なる既知の化粧品成分
を含む、請求項1から7のいずれか一項に記載の固形石けん。
【請求項１１】
場合により水を含む石けんを用意するステップ、
水への分散物又は水溶液の形で石けんにポリマーを添加するステップ、
ポリマーを添加するステップの前又は後に、香料油、場合により更なる水、及び場合により、場合により存在する更なる既知の化粧品成分を添加するステップ
を含む、請求項1から10のいずれか一項に記載の固形石けんの製造方法。
【発明の詳細な説明】
【技術分野】
【０００１】
本発明は、石けん、少なくとも1種の香料油、少なくとも1種のポリマー、場合により水、並びに場合により石けん、香料油、ポリマー及び水以外の更なる既知の化粧品成分を含む、固形石けんであって、少なくとも1種のポリマーが水溶性ポリマーであり、ポリマーが20℃で4から9の間の範囲の1つ又は複数のpH値で水100g中少なくともポリマー0.01gの水溶性を有し、少なくとも1種のポリマーが、ポリマーの反復単位の20重量%超が、少なくとも1つの酸基を有する少なくとも1種のエチレン性不飽和の重合性モノマーに由来する反復単位であるポリマー、及びN-ビニルピロリドンに由来する反復単位を含み、ポリマー中のこれらの反復単位の比率が少なくとも50重量%であるポリマーからなる群から選択される、固形石けんに関する。
【背景技術】
【０００２】
固形石鹸の加工性及び稠度は生産者にとって重要であり、外観は利用者にとって重要である。
【０００３】
固形石鹸(固形石けんとも呼ぶ)の香りは利用者にとって重要である。固形石けんにはその香りを改良するために、一般に香料が添加されている。この香りは非常に低レベルの香料であっても強く、固形石けんの保管の際、できるだけ長く持続することが望ましい。
【０００４】
固形石けんの香りを改良するのに使用される香料は、一般に香料油である。香料油は香油である。香油は植物又は動物性精油であってもよい。また、香油は合成香油であってもよい。
【０００５】
固形石けんは狭義の石けん、すなわち脂肪酸のナトリウム塩を使用して製造することができる。問題の脂肪酸は、通常主に12から18個の炭素原子を有する直鎖状脂肪族モノカルボン酸である。脂肪酸のナトリウム塩中のナトリウムは純度100%でなく、ナトリウムの代わりに最大で10重量%のカリウムを含有することができる。
【０００６】
また、固形石けんは合成洗剤(syndets)(「合成洗剤(synthetic detergents)」)を使用して製造することもできる。本明細書を通じて、石けんという用語は狭義の石けん、すなわち脂肪酸のナトリウム塩だけでなく合成洗剤をも含むことを意味することとして理解されたい。合成洗剤はpH中性である。合成洗剤は、例えば、アシルイセチオネートのナトリウム塩、アシルグルタメートのナトリウム塩、アルキスルホアセテート(alky sulfoacetate)のナトリウム塩、脂肪アルコールスルフェートのナトリウム塩又は脂肪アルコールスルホサクシネートのナトリウム塩を主成分としている。
【０００７】
固形石鹸は一般に水を含み、そうでなければ脆くなりすぎる。石けんの含水量は、典型的には35重量%(脂肪酸の直接けん化の場合)から14重量%(化粧石けん)の間である。
【０００８】
米国特許第3,772,215号には水溶性ヒドロキシアルキルアクリレート又はメタクリル酸ポリマー中に捕捉され、これらのポリマーが、酸性モノマーであってもよい0.5から20重量%の水溶化共重合性モノマーを含む芳香性物質が開示されている。
【０００９】
米国特許第2009/0082239号には水溶性寒天ポリマーを含む固形石けんが開示されている。
【００１０】
残念ながら、いったん製造されると、固形石鹸は非常に迅速にその香りを失い、又は香りが弱まる。
【先行技術文献】
【特許文献】
【００１１】
【特許文献１】米国特許第3,772,215号
【特許文献２】米国特許第2009/0082239号
【発明の概要】
【発明が解決しようとする課題】
【００１２】
本発明が取り組む課題は、所与の量の香料で、製造されたままの固形石けんの香りを増強させるか、又は所与の量の香料で、固形石けんの保管後の固形石けんの香りの減少を低下させるか、又は両方の効果が生ずるという目的で、香料を含む固形石けんの香りを改良するという課題である。
【課題を解決するための手段】
【００１３】
この課題は本明細書の特許請求の範囲に記載の固形石けんにより解決される。主要な請求項に記載の固形石けんが本発明の1つの主題である。従属請求項は本発明による固形石けんの特殊な実施形態を対象とする。
【発明を実施するための形態】
【００１４】
本発明は、本明細書の方法に関する独立請求項による方法を更に提供する。
【００１５】
本発明の意義において、水溶性ポリマーは20℃で4から9の間の範囲の1つ又は複数のpH値で水100g中少なくともポリマー0.01gの水溶性を有し、好ましくは20℃で4から9の間の範囲の1つ又は複数のpH値で水100g中少なくともポリマー0.1gの水溶性を有する、ポリマーである。
【００１６】
少なくとも1つの酸基を有する少なくとも1種のエチレン性不飽和の重合性モノマーは、アクリル酸、メタクリル酸、マレイン酸、フマル酸、イタコン酸、アコニット酸、桂皮酸、クロトン酸、シクロヘキセン、カルボン酸、プロピオル酸、メサコン酸、シトラコン酸、ビニルスルホン酸、p-ビニルベンゼンスルホン酸、部分エステル、例えば、モノ2-ヒドロキシエチルシトラコネート、モノ2-ヒドロキシプロピルイタコネート、モノ2-ヒドロキシエチルイタコネート、モノ2-ヒドロキシプロピルシトラコネート、モノ-2ヒドロキシエチルマレエート、モノ2-ヒドロキシプロピルフマレート、モノメチルイタコネート、モノエチルイタコネート、モノメチルセロソルブイタコネート(メチルセロソルブはジエチレングリコールのモノメチルエーテルである)、モノメチルセロソルブマレエート及びモノ-2-ヒドロキシエチルアコニテートからなる群から選択することができる。
【００１７】
更なる適切な合成洗剤は、「Andreas Domsch: Die kosmetischen Praeparate; Band 2: Waessrige und tensidhaltige Formulierungen、第4編、Verlag fuer chemische Industrie, H. Ziolkowski KG、アウクスブルク、251〜257頁」に記載されている。
【００１８】
本発明のポリマーは、記載されている定量的な比率に記載されている反復単位の範囲を超えて、少なくとも1種の重合可能なエチレン性不飽和二重結合を含む任意の所望の既知のモノマーに由来する反復単位を含み得る。
【００１９】
アリルペンタエリスリトールはジ、トリ及びテトラアリルエーテルの混合物である。ポリマー組成中の短縮形EOは「エチレンオキシドに由来する」、すなわち-O-CH2-CH2-O-基を表す。
【００２０】
香料の香りが保持されるように、固形石鹸に本発明によるポリマーを添加することのプラスの副次効果は、加工性がより良好になり、石けん機械中の石けんの稠度及び最終固形石鹸の外観がより良好になることである。加工性及び稠度は生産者にとって重要である。固形石鹸配合物に応じてこの物質は乾燥しすぎ、又は湿りすぎているように見える場合がある。第1の例では、石けんは不均質で、粗く砕けやすく見える場合がある。第2の例では石けんは軟らかすぎ、べたつき、手で砕けるように感じられる。ポリマーを添加すると、固形石鹸の質量は押出成形及び圧縮成形に最適な範囲に安定化する。外観は顧客にとって重要である。乾燥した条件では、固形石鹸の表面は滑らかで、均質で、光沢があり、べたつかない状態でなければならない。ポリマーを添加すると、このような表面特性が改良される。
【００２１】
本発明の固形石けんは、場合により石けん、香料油、ポリマー及び水以外の更なる既知の化粧品成分を含んでもよい。次に、特にどの成分が適切であるか記載する。
【００２２】
また、本発明の固形石けんは、例えばその保存寿命、美しさ又は機能性を向上させるために使用される、以下の成分の一部又はすべてを含み得る。
【００２３】
ビタミン、例えば、ビタミンA及びE、並びにビタミンアルキルエステル、例えば、ビタミンCアルキルエステル;脂質、例えば、コレステロール、コレステロールエステル、ラノリン、セラミド、スクロースエステル及び疑似セラミド;リポソーム形成物質、例えば、リン脂質、及び2個の炭化水素長鎖を有する適切な両親媒性分子;高級脂肪酸、ポリ不飽和脂肪酸及びこれらの物質の供給源;不飽和脂肪酸のトリグリセリド、例えば、ヒマワリ油、サクラソウ油、アボカド油、アーモンド油;飽和及び不飽和脂肪酸の混合物から形成される植物性バター、例えば、シアバター;鉱物、例えば、亜鉛源、マグネシウム源及び鉄源;スキンコンディショナ、例えば、シリコーン油、ゴム及びその改変形態、例えば、直鎖状及び環状ポリジメチルシロキサン、アミノ、アルキル及びアルキルアリールシリコーン油;炭化水素、例えば、流動パラフィン、ペトロラタム、ワセリン(商標)、マイクロクリスタリンワックス、セレシン、スクアレン、プリスタン、パラフィンワックス及び鉱物油;コンディショニングタンパク質、例えば、乳タンパク質、絹タンパク質及びグルチン;使用してもよいコンディショナとしてのカチオンポリマーとしてはクアトリソフト(登録商標)LM-200ポリクオタニウム-10、ポリクオタニウム-11、ポリクオタニウム-16、ポリクオタニウム-24、ポリクオタニウム(polyquatermium)-39、ポリクオタニウム-46、ポリクオタニウム-55、ポリクオタニウム-68、メルクアット(登録商標)プラス3330及びジャガー(登録商標)型コンディショナ等がある。保湿剤、例えば、グリセリン、ソルビトール並びに尿素、エモリエント剤、例えば長鎖脂肪酸のエステル、例えばイソプロピルパルミテート及び乳酸セチル。
【００２４】
更なる任意選択の作用剤としては、抗にきび剤、例えば、サリチル酸、乳酸、グリコール酸及びクエン酸並びに過酸化ベンゾイル(抗菌剤でもある);油制御剤、例えば皮脂抑制剤、艶消し剤(mattifiers)、例えばシリカ、二酸化チタン、油吸収剤、例えばマイクロスポンジ;収斂剤、例えば、タンニン、亜鉛及びアルミニウム塩(sales)、植物抽出物、例えば緑茶、マンサク(アメリカマンサク(Hammailes))由来;スクラブ及び剥離粒子、例えば、ポリエチレン球体、凝集シリカ、糖、粉砕された核、種子及び包皮、例えばクルミ、モモ、アボカド、カラスムギ由来、塩;清涼化剤、例えば、メントール及びその様々な誘導体並びに低級アルコール;果実及びハーブ抽出物;皮膚沈静剤、例えば、アロエベラ;精油、例えば、ハッカ、ジャスミン、ショウノウ、ヌマヒノキ、ダイダイ皮、リュー、テレピン樹脂、シナモン、ベルガモット、ウンシュウミカン、ショウブ、パイン、ラベンダー、ベイ、クローブ、ヒバ、ユーカリ、レモン、スターフラワー、タイム、ペパーミント、バラ、セージ、メントール、シネオール、オイゲノール、シトラール、シトロネルボルネオール、リナロール、ゲラニオール(geranoil)、ツキミソウ、ショウノウ、チモール、スピラントール、ピネン(penene)、リモネン、及びテルペノイド油等があり、また、日焼け止め、例えば2,4,6-トリアニリノ-(p-カルボ-2'-エチルヘキシル-1'-オキシ)-1,3,5-トリアジン(Uvinul(登録商標)150、BASFから)、2-ヒドロキシ-4-メトキシベンゾフェノン-5-スルホン酸(Uvinul(登録商標)MS40、BASFから)、2-シアノ-3,3-ジフェニルアクリル酸、2-エチルヘキシルエステル(Uvinul(登録商標)N539、BASFから)、4-ビス(ポリエトキシ)パラアミノ安息香酸ポリエトキシエチルエステル(Uvinul(登録商標)P25、BASFから)、ジエチルアミノヒドロキシベンゾイルヘキシル安息香酸(Uvinul(登録商標)Aプラス、BASFから)、メチレンビス-ベンゾトリアゾリルテトラメチルブチルフェノール(Tinosorb(登録商標)M、BASFから)、ビス-エチルヘキシルオキシフェノールメトキシフェニルトリアジン(Tinosorb(登録商標)S、BASFから)、4-第三級ブチル-4'-メトキシジベンゾイルメタン(商品名PARSOL 1789(商標)でGivaudanから入手可能)及び/又は2-エチルヘキシルメトキシシンナマート(Uvinul(登録商標)MC80、BASFから、若しくはPARSOL MCX、Givaudanから)又は他のUV-A及びUV-B日焼け止めも配合してよい。
【００２５】
使用することができる他の有益剤としては、老化防止化合物、及び皮膚美白剤等があり、抗酸化剤、例えば、ブチル化ヒドロキシトルエン(BHT)等を約0.01重量%又は適切な場合はそれを超える量で使用すると有利である場合がある。
【００２６】
含めてもよい他の成分としては、物理的剥離剤、例えば、ポリオキシエチレンビーズ、クルミ外殻及びアンズ種子がある。そのような物理的剥離剤を配合すると、アルファ-ヒドロキシ酸がもたらす化学剥離をしのいで付加的有益性を得ることができる。そのような付加的有益性は消費者にとって非常に望ましい。剥離剤の粒子径は、好ましくは50ミクロンから1000ミクロン、より好ましくは100ミクロンから500ミクロン、もっとも好ましくは100から200ミクロンの間にある。
【００２７】
任意選択の成分の他の群は、光学的肌理を改変し、又はこの固形せっけんの独自性を向上させるパターンを導入する物質として定義される光学的調節剤である。適切な光学的調節剤の例としては、スペックル/ビット、例えば、粉砕された果実の種、種子、ポリエチレンビーズ、鉱物凝集塊及びヘチマ(loofha);反射板状粒子、例えば、雲母;真珠光沢剤、例えば、被覆雲母及びある種のワックス;例えば果実片に似たワックス/プラスチックスライバ;植物又は果実スライバ、艶消し剤、例えば、TiO2及び上記の混合物等がある。
【００２８】
更に、本発明の固形せっけん組成物は結晶又は非晶質水酸化アルミニウムを含んでもよい。前記水酸化アルミニウムは、脂肪酸及び/若しくは非脂肪モノ若しくはポリカルボン酸をアルミン酸ナトリウムと反応させることにより、in situで得られ、又は脂肪酸及び/若しくは非脂肪モノ若しくはポリカルボン酸をアルミン酸ナトリウムと反応させ、この反応生成物を石けんに添加することにより、独立して調製することができる。硬化剤の他の群は、ネットワーク形成又は空間充填により不連続相を構築することができる不溶性無機又は鉱物固体である。これらには、沈殿又は変性ヒュームドシリカ、アルミナ、炭酸カルシウム、カオリン、及びタルクが含まれる。また、アルミノシリケート粘土、特に合成又は天然ヘクトライトを使用することもできる。また、有益剤以外に固形石けんを一体化させる適切な固形石けん構造化剤(structurants)を使用することもできる。また、非水溶性構造化剤も40〜100℃、より好ましくは少なくとも50℃、特に好ましくは0℃から90℃の範囲の融点を有する。
【００２９】
特に想定されている適切な物質は脂肪酸、特に12から24個の炭素原子の炭素鎖を有する脂肪酸である。その例はラウリン酸、ミリスチン酸、パルミチン酸、スターク(stark)酸、アラキジン酸及びベヘン酸並びにそれらの混合物である。これらの脂肪酸の供給源はココナツ、トップドココナツ(topped coconut)、パーム、パーム核、ババス及び獣脂脂肪酸並びに部分的に若しくは完全に硬化した脂肪酸又は蒸留脂肪酸である。他の適切な非水溶性構造化剤としては、8から20個の炭素原子を有するアルカノール、特にセチルアルコール等がある。これらの物質は一般に20℃で5g/リットル未満の水溶性を有する。他の構造化剤には、粒子状固体、例えば、タルク、デンプン(例えば、マルトデキストリン)又は粘土を含めてもよい。水溶性構造化剤と非水溶性構造化剤との相対的な比率が、使用中に固形せっけんが摩耗する速度を決定する。非水溶性構造化剤が存在すると、使用中に水にさらされる場合の固形せっけんの溶解が遅くなり、それにより摩耗の速度が遅くなる傾向がある。更に、この組成物は、当該分野でよく知られている染料を賢明に使用することにより多色、例えば縞模様に製造することができる。
【００３０】
有益剤は一般に重量基準で約0〜25重量%、好ましくは5〜20重量%、もっとも好ましくは2から10重量%の組成物を含む。
【００３１】
本発明の固形せっけん組成物は、典型的には約6から11、好ましくは7を超えるpHを有する。水の量は注型固形せっけんの場合異なる場合がある。
【００３２】
本発明の目的のために使用することができる、石けん、香料油、ポリマー及び水以外の更なる既知の化粧品成分は「Karlheinz Schrader, Andreas Domsch: Cosmetology - Theory and Practice  第2巻、Verlag fur chemische Industrie; H. Ziolkowski GmbH、アウクスブルク、第1版、2005年、205〜215頁」に記載されている。その中には可塑剤(例えば、脂肪アルコール又はグリセリンモノステアレート)、脂質補給剤(refatteners)(例えば、ワセリン、鉱物油、トリグリセリド、レシチン又はラノリン)、増粘剤(例えば、デンプン、デンプン誘導体、二酸化チタン、タルク)、無機塩(例えば、ナトリウム三リン酸、ナトリウム四リン酸塩、アンモニウム炭酸塩、塩化カリウム、塩化ナトリウム、リン酸三ナトリウム、炭酸カリウム)、有機酸(例えば、クエン酸)、芳香剤、着色剤、抗酸化剤(例えば、BHT)、キレート剤(例えばEDTA)、カチオンポリマー(例えば、ポリクオタニウム-10)、カルボキシメチルセルロース、タンパク質水解物(例えば、Gluadin製品)、カルボマー、トリクロサン、ファルネソール、ポリオール(例えば、グリセリン、プロピレングリコール)、糖、アルコール、植物油(例えば、ココナツ油、ヒマシ油)、動物性油脂(例えば、獣脂)がある。
【実施例】
【００３３】
パーセントは別に述べない限り重量%である。
【００３４】
得られた固形石けんの含水量
次の実施例には石けん素地を主成分とする固形石けんの製造が含まれる。石けん素地は12重量%の水を含む。「石けん1:添加ポリマーなしの空試験値/基準試料」は、石けん素地及び香料油以外に8重量%の水を利用している。すなわち、この固形石けんの含水量は、(12×0.91+8)重量%、すなわち、約20重量%である。他の実施例には固形石けんに水性分散物の形でポリマーを添加することが含まれる。全実施例で固形石けんの含水量が約20重量%になるように、各ポリマー分散物とともに追加の水を添加する。
【００３５】
固形石鹸の製造
押出機(Sela Weber-Seelander screw press 33799/8000)を使用前に45℃に加熱した。約6から8個の固形石鹸を製造するには、全部で1kgの量の石けんの塊が必要である。このため、まず石けん素地を粗く粉砕し、次いで押出機に押し込んだ(直径5mmの大穴プレート)。次いで粉砕した生成物及び残りの投入物質を使用してプレミックスを調製した(各バッチを参照)。このプレミックスをバケツの中で完全に混ぜ合わせた。このプレミックスを予熱した押出機に導入し、5回大穴プレートに押し込んだ。この後小穴プレート(直径2mm)を使用して5回通過させた。この後ストランドプレスに対して手直しした。この塊を50℃でストランドに加工し、手動プレスでプレスした。
【００３６】
代替方法として、二軸押出機(例えば、Coperion ZSK 18 MEGlab)を使用して固形石鹸を製造してもよい。
【００３７】
【表１】
2020529498.tif 000002
【００３８】
石けん素地:Cremer SAP BV 601(Cremer Oleoから)、INCI:パーム脂肪酸ナトリウム(Sodium Palmate)、パーム核脂肪酸ナトリウム(Sodium Kernelate)、12重量%の水を含む石けん素地。
香料油:Cotton Touch DC10420(Symriseから)
【００３９】
石けん1:添加ポリマーなしの空試験値/基準試料
石けん素地  % 91.0
水  % 8.0
香料油  % 1.0
【００４０】
29.1%分散物として石けんへの添加混合物ポリマーAを含む(ポリマー含有率0.5%)石けん2
石けん素地  % 90.5
水  % 6.8
ポリマーA % 1.7
香料油  % 1.0
【００４１】
29.1%ポリマー分散物として石けんへの添加混合物ポリマーAを含む(ポリマー含有率2.0%)石けん3
石けん素地  % 89.0
水  % 3.1
ポリマーA % 6.9
香料油  % 1.0
【００４２】
30.0%ポリマー分散物として石けんへの添加混合物ポリマーBを含む(ポリマー含有率0.5%)石けん4
石けん素地  % 90.5
水  % 6.8
ポリマーB % 1.7
香料油  % 1.0
【００４３】
30.0%ポリマー分散物として石けんへの添加混合物ポリマーBを含む(ポリマー含有率2.0%)石けん5
石けん素地  % 89.0
水  % 3.3
ポリマーB % 6.7
香料油  % 1.0
【００４４】
30.0%ポリマー分散物として石けんへの添加混合物ポリマーCを含む(ポリマー含有率0.5%)石けん6
石けん素地  % 90.5
水  % 6.8
ポリマーC % 1.7
香料油  % 1.0
【００４５】
30.0%ポリマー分散物として石けんへの添加混合物ポリマーCを含む(ポリマー含有率2.0%)石けん7
石けん素地  % 89.0
水  % 3.3
ポリマーC % 6.7
香料油  % 1.0
【００４６】
20.0%ポリマー水溶液として石けんへの添加混合物ポリマーDを含む(ポリマー含有率0.5%)石けん8
石けん素地  % 90.5
水  % 6.0
ポリマーD % 2.5
香料油  % 1.0
【００４７】
20.0%ポリマー水溶液として石けんへの添加混合物ポリマーDを含む(ポリマー含有率2.0%)石けん9
石けん素地  % 89.0
ポリマーD % 10.0
香料油  % 1.0
【００４８】
水中に30.0%ポリマー分散物として石けんへの添加混合物ポリマーEを含む(ポリマー含有率0.5%)石けん10
石けん素地  % 90.5
水  % 6.8
ポリマーE % 1.7
香料油  % 1.0
【００４９】
水中に30.0%ポリマー分散物として石けんへの添加混合物ポリマーEを含む(ポリマー含有率2.0%)石けん11
石けん素地  % 89.0
水  % 3.3
ポリマーE % 6.7
香料油  % 1.0
【００５０】
香り試験の説明
石けんの香りはいずれの場合もポリマーなしの空試験値に対して相対的に評価された。ポリマーを含む石けんがポリマーなしの石けん(空試験値)より強い香りを有する場合、香りを「+」として記載した。ポリマーを含む石けんがポリマーなしの石けん(空試験値)よりはるかに強い香りを有する場合、香りを「++」として記載した。ポリマーを含む石けんがポリマーなしの石けん(空試験値)より悪い香りを有する場合、臭いを「-」として記載した。
【００５１】
石けん製造直後の香り
評価パネルには4人を含んでいた。彼らは石けんが製造された1日後に石けんの香りを評価した。表には官能試験員の評価の未加工データが含まれている。
【００５２】
【表２】
2020529498.tif 000003
【００５３】
21℃で(4週間)保管後の石けんの香り
評価パネルには5人を含んでいた。彼らは石けんが製造された4週間後に石けんの香りを評価した。表には官能試験員の評価の未加工データが含まれている。
【００５４】
【表３】
2020529498.tif 000004
【００５５】
40℃で(4週間)保管後の石けんの香り
評価パネルには5人を含んでいた。彼らは石けんが製造された4週間後に石けんの香りを評価した。表には官能試験員の評価の未加工データが含まれている。
【００５６】
【表４】
2020529498.tif 000005
【００５７】
香り試験の評価及び概要
4又は5人による固形石鹸の香りの評価(表2から4を参照)によると、本発明のポリマーが石けんの香りを実際に改良することは明確に検証された。しかし評価には限られた「外れ値」があった。香りは添加ポリマーにより明らかに改良された。石けん製造の直後(表2参照)だけではなく保管後も、4週間の期間21℃で保管後(表3参照)及び40℃で保管後(表4参照)で同じことが言える。
【００５８】
本発明のポリマーにより改良された石けんの加工性、稠度及び外観の評価及び概要
1から11までの固形石鹸の製造により、ポリマーを添加すると固形石鹸の質量がはるかに均一になり、成形しやすくなることにより、加工性及び稠度が改良されることが明らかに実証されている。ポリマーなしの石けん1と比較して、ポリマーを含む石けんはより砕けにくく、はるかに均質でより滑らかであり、その結果べたつきを得ることなく、改良され最適化された押出成形及び圧縮成形挙動が得られる。製造された固形石鹸の外観は、粗くむらがある表面(石けん1)からすべすべして光沢のある表面(石けん2から11まで)へと明らかに向上した。これは21℃及び40℃で4週間の保管期間中持続する。
【国際調査報告】
2020529498.tif 000006
2020529498.tif 000007
2020529498.tif 000008